(57)【要約】【課題】装飾性と取付け容易性とを兼ね備えることが可能で、留金等によって価格が上昇しないように構成することができるブレスレットを提供する。【解決手段】弾性を有する貴金属材にてブレスレット基体１０を構成する。ブレスレット基体１０を略Ｃ字形状に形成して手首に巻き付くように構成する。ブレスレット基体１０に装着する装飾チェーン２０を構成する。装飾チェーン２０の長手両端部をブレスレット基体１０の開口端部に連結する。ブレスレット基体１０を装飾用の時効硬化性材料にて形成する。【選択図】図１
0003198567.tif 000002
【実用新案登録請求の範囲】
【請求項１】
弾性を有する金属材にて開口部を有する環体形状に形成され手首に巻き付くように構成されたブレスレット基体と、該ブレスレット基体に装着される装飾チェーンとを備え、装飾チェーンの長手両端部をブレスレット基体の開口端部側にそれぞれ連結したことを特徴とするブレスレット。
【請求項２】
前記ブレスレット基体は、装飾用の時効硬化性材料にて形成された請求項１記載のブレスレット。
【請求項３】
前記ブレスレット基体の開口端部に球体状の連結保護体が設けられ、該連結保護体を介して前記装飾チェーンが連結された請求項１記載のブレスレット。
【請求項４】
前記装飾チェーンは、前記ブレスレット基体に対して１本又は複数本装着された請求項１記載のブレスレット。
【考案の詳細な説明】
【技術分野】
【０００１】
本考案は、装飾性と取付け容易性とを兼ね備えたブレスレットに係り、特に、装飾性に優れたチェーンを留金なしで手首に簡単に取付けることができるブレスレットに関する。
【背景技術】
【０００２】
従来、装飾性に優れたチェーン等をブレスレットに使用する場合、チェーンの端部を連結する留金が必要になっている。この留金の構造はチェーン本体の構造と明らかに異なるため、留金の形状によってはチェーンの装飾性を損ねる虞がある。そこで、ブレスレットに使用する留金は、チェーンのデザインを損ねることが無いように、繊細でしかも強度に優れた高級な留金が選択されることがある。この場合、留金の価格がブレスレット全体の価格を高める不都合があった。
【０００３】
一方、手首等への取付けが容易なブレスレットが特許文献１に記載されている。このブレスレットは、帯状貴金属板の周囲を内向きに折り返し、その折り返し部に他の帯状貴金属芯材を挟着固定して２層構造に構成し、帯状貴金属芯材を内側にしてリング状に曲げ加工したものである。
【０００４】
このブレスレットによると、略Ｃ字形状を成したブレスレットの両端を開いて手首等にはめ込み、帯状貴金属板や帯状貴金属芯材のバネ弾性で閉じるように構成することで、極めて容易に取付けることができるというものである。
【先行技術文献】
【特許文献】
【０００５】
【特許文献１】特開平１０-１１７８１７号公報
【考案の概要】
【考案が解決しようとする課題】
【０００６】
ところが特許文献１に記載のブレスレットは、帯状貴金属板や、帯状貴金属芯材を二重にして装着するので、貴金属の材料費のみでも高価になる傾向がある。したがって、この帯状貴金属板に装飾性を高めるデザインを施すと、更に高価なブレスレットになる虞があった。
【０００７】
しかも、特許文献１のブレスレットは帯状貴金属板を直接手首に取付けるものなので、シンプルな装飾効果を得ることは可能でも、装飾用チェーンにて構成されたブレスレットのように優雅な装飾効果を期待することは困難であった。
【０００８】
このように、従来のブレスレットは、装飾性に優れたものや取付けが容易なものや
はそれぞれ提供されているが、装飾性と取付け容易性とを兼ね備えたブレスレットはこれまで提供されていなかった。
【０００９】
そこで本考案は、上述の課題を解消すべく案出されたもので、装飾性と取付け容易性とを兼ね備えることが可能で、しかも、高級な留金等によって価格が上昇しないように構成することができるブレスレットの提供を目的とするものである。
【課題を解決するための手段】
【００１０】
本考案の第１の手段は、弾性を有する金属材にて開口部を有する環体形状に形成され手首に巻き付くように構成されたブレスレット基体１０と、該ブレスレット基体１０に装着される装飾チェーン２０とを備え、装飾チェーン２０の長手両端部をブレスレット基体１０の開口端部側にそれぞれ連結したことにある。
【００１１】
第２の手段において、前記ブレスレット基体１０は、装飾用の時効硬化性材料にて形成されたものである。
【００１２】
第３の手段は、前記ブレスレット基体１０の開口端部に球体状の連結保護体１１が設けられ、該連結保護体１１を介して前記装飾チェーン２０が連結されている。
【００１３】
第４の手段において、前記装飾チェーン２０は、前記ブレスレット基体１０に対して１本又は複数本装着されたものである。
【考案の効果】
【００１４】
請求項１に記載のごとく、弾性を有する金属材にて開口部を有する環体形状に形成され手首に巻き付くように構成されたブレスレット基体１０と、該ブレスレット基体１０に装着される装飾チェーン２０とを備え、装飾チェーン２０の長手両端部をブレスレット基体１０の開口端部側にそれぞれ連結したことにより、装飾性に優れた装飾チェーン２０を簡単な操作で手首に装着することができる。この結果、装飾性と取付け容易性とを兼ね備えることが可能になった。
【００１５】
しかも、装飾チェーン２０には、従来のブレスレット用の留金は必要ないので、従来のブレスレット用留金によって価格が上昇する不都合も解消された。
【００１６】
請求項２のように、ブレスレット基体１０を装飾用の時効硬化性材料にて形成することで、柔らかな貴金属材でも手首に装着可能なブレスレット基体１０として使用することができる。この結果、従来の帯状金属板で構成したＣ字形状のブレスレットのように多くの材料を用いることなく繊細なブレスレット基体１０を形成することが可能になった。
【００１７】
請求項３のごとく、ブレスレット基体１０の開口端部に球体状の連結保護体１１を設け、該連結保護体１１を介して装飾チェーン２０を連結することで、ブレスレット基体１０と装飾チェーン２０との連結部分が使用者の腕に直接当たらずに済む。しかも、連結保護体１１は球体状を成しているので接触時の皮膚感覚も柔らかいものになる。この結果、ブレスレット基体１０や装飾チェーン２０を腕に巻き付けていても、違和感なく使用することができるものである。
【００１８】
請求項４のように、ブレスレット基体１０に対して１本又は複数本の装飾チェーン２０を装着することで、ブレスレットの装飾効果を種々変化させることが可能になる。
【００１９】
このように本考案によると、装飾性と取付け容易性とを兼ね備えることが可能で、しかも、留金等によって価格が上昇しないように構成することができるといった当初の目的を達成したものである。
【図面の簡単な説明】
【００２０】
【図１】本考案のブレスレットを例示する正面図である。
【図２】本考案の使用状態を示す斜視図である。
【図３】本考案の使用状態を示す要部斜視図である。
【図４】本考案の連結保護体を示す要部拡大図である。
【図５】本考案の他のブレスレットを例示する正面図である。
【考案を実施するための形態】
【００２１】
以下、本考案を図示例に基づいて説明する。本考案ブレスレットの基本構成は、ブレスレット基体１０と装飾チェーン２０とで構成する（図１参照）。
【００２２】
ブレスレット基体１０は、弾性を有する金属材にて開口部を有する環体形状に形成されたもので、特に、開口部を開いて手首に巻き付くように構成されている（図２参照）。図示例では、開口部の位置が離れているが、この他、ブレスレット基体１０を更に丸めて開口部がクロスした状態の環体形状等に形成することもできる（図示せず）。また、ブレスレット基体１０の材質は、貴金属や卑金属など弾性を有する任意の金属を選択することが可能である。このとき、ブレスレット基体１０を装飾用の時効硬化性材料にて形成することで、少ない材料でもブレスレット基体１０として十分な硬度と弾性力を得ることができる。すなわち、時効硬化とは、合金を焼入れしたのち，適当な温度にある時間放置しておくと硬くなる現象である。
【００２３】
装飾用の時効硬化性材料として、例えば次のような金合金が用いられる。Ａｕ−Ａｇ合金、Ａｕ−Ｃｕ合金、Ａｕ−Ａｇ−Ｃｕ合金、Ａｕ−Ａｇ−Ｃｕ−Ｚｎ合金、Ａｕ−Ａｇ−Ｃｕ−Ｚｎ−Ｎｉ合金、Ａｕ−Ａｇ−Ｐｄ合金、Ａｕ−Ａｇ−Ｃｕ−Ｐｄ合金などである。この場合、金の純度は問わず、Ｋ２２、Ｋ２０、Ｋ１８、Ｋ１６、Ｋ１４など各種の金合金から選択することができる。また、金合金に限らず、銀、白金、パラジウムなどを使用したジュエリー用貴金属合金から選択することも可能である。また、装飾用の時効硬化性材料に替えて形状記憶合金の使用も可能である。
【００２４】
装飾チェーン２０は、該ブレスレット基体１０に装着されるもので、主に貴金属が使用されるが、この材質も装飾チェーン２０のデザイン等により任意に変更することができる。そして、装飾チェーン２０の長手両端部をブレスレット基体１０の開口端部側にそれぞれ連結している（図１参照）。
【００２５】
図示例では、ブレスレット基体１０の開口端部に球体状の連結保護体１１を設けている。そして、この連結保護体１１に固定した連結環１２に、装飾チェーン２０の端部を連結したものである（図４参照）。このように連結保護体１１を設けることで、ブレスレット基体１０と装飾チェーン２０との連結部分が使用者の腕に直接当たらずに済む（図３参照）。また、図示例では、装飾チェーン２０の端部に連結環体２１を設け、この連結環体２１をブレスレット基体１０の連結環１２に連結している（図４参照）。この装飾チェーン２０の連結手段は任意に変更することができる。尚、連結保護体１１における球体状とは、図示例の球形の他、楕円形状やハート形状など、ブレスレット基体１０の開口端部が周囲に膨出した形状すべてを指すものである。更に、本考案でブレスレット基体１０の開口端部側とは、この連結保護体１１の他、ブレスレット基体１０の開口端部の近傍全体を示すものである。
【００２６】
また、ブレスレット基体１０に装着する装飾チェーン２０の数は任意に設定することができる。基本的に、ブレスレット基体１０に対して１本の装飾チェーン２０を装着している（図１参照）。また、ブレスレット基体１０に対して２本の装飾チェーン２０を装着することも可能である（図５参照）。このように、ブレスレット基体１０に対する装飾チェーン２０の数は任意に変更することができる。更に、ブレスレット基体１０の数も任意に変更することが可能である。
【００２７】
尚、本考案ブレスレットの具体的構成は図示例に限られるものではなく、ブレスレット基体１０や装飾チェーン２０の構成、形状、寸法、材質、数、連結位置等は図示例のもの等に限定されることなく適宜自由に設定、変更できるものである。
【符号の説明】
【００２８】
１０  ベース金具
１１  連結保護体
１２  連結環
２０  装飾チェーン
２１  連結環体
【図１】
0003198567.tif 000003
【図２】
0003198567.tif 000004
【図３】
0003198567.tif 000005
【図４】
0003198567.tif 000006
【図５】
0003198567.tif 000007